(57)【要約】【課題】撮影の結果得られた高精細なハイビジョン映像を、そのまま複数のDVD１４に記録する。【解決手段】Ｓ５６で、対象チャプタを、想定DVDｉの記録可能時間だけ書き込んだ場合、対象チャプタが感知区間で途切れるか否かが判定される。感知区間で途切れると判定された場合、Ｓ５８に進み、書き込みを行うDVD１４が新たに想定される。その後、Ｓ５４で、対象チャプタを、書き込み候補のリストに加えられ、記憶している想定DVDｉの記録可能時間から、対象チャプタの記録時間が除算されて、その結果得られた時間が、想定DVDｉの記録可能時間とされる。Ｓ５６およびＳ５７を経由して、Ｓ５４で対象チャプタが書き込み候補リストに追加されることは、その対象チャプタ以降は、その対象チャプタの１つ前のチャプタまでとは異なるDVD１４に記録されることを意味している。【選択図】  図１１
2006172677.tif 000002
【特許請求の範囲】
【請求項１】
第１のフォーマットで記録された、所定の撮像装置による撮像の結果得られた映像データを、第２のフォーマットで所定の記録媒体に記録する情報処理装置において、
前記撮像装置による撮像の結果得られた映像データを取得して、そのフォーマットを前記第１のフォーマットから前記第２のフォーマットに変換する取得手段と、
前記取得手段により取得された前記第２のフォーマットの前記映像データを、チャプタ毎に、複数個の記録媒体に順に記録する記録制御手段と
を備え、
前記記録制御手段は、所定の記録媒体の残容量が、次に記録する所定のチャプタのデータ量より少なくなったとき、前記所定のチャプタの、その残容量分に記録することができる範囲に基づいて、前記所定のチャプタを記録する記録媒体を決定する
ことを特徴とする情報処理装置。
【請求項２】
前記記録制御手段は、
前記所定のチャプタの、開始からの所定範囲の部分しか記録することができないか、または終了までの所定範囲の部分を記録することができない場合、前記所定のチャプタを、前記所定のチャプタの前のチャプタが記録される記録媒体とは異なる記録媒体に記録する
ことを特徴とする請求項１に記載の情報処理装置。
【請求項３】
前記記録制御手段は、前記所定のチャプタの、開始からの所定範囲の部分しか記録することができないか、または終了までの所定範囲の部分を記録することができない場合、前記所定のチャプタを他の記録媒体に記録するものとして、前記取得手段により取得された前記第２のフォーマットの前記映像データを記録する前記記録媒体の数を算出する算出手段と、
前記算出手段により算出された数分の前記記録媒体に、前記取得手段により取得された前記第２のフォーマットの前記映像データを記録する記録手段と
を備えることを特徴とする請求項２に記載の情報処理装置。
【請求項４】
第１のフォーマットで記録された、所定の撮像装置による撮像の結果得られた映像データを、第２のフォーマットで所定の記録媒体に記録する情報処理方法において、
前記撮像装置による撮像の結果得られた映像データを取得して、そのフォーマットを前記第１のフォーマットから前記第２のフォーマットに変換する取得ステップと、
前記取得ステップの処理で取得された前記第２のフォーマットの前記映像データを、チャプタ毎に、複数個の記録媒体に順に記録する記録制御ステップと
を含み、
前記記録制御ステップは、所定の記録媒体の残容量が、次に記録する所定のチャプタのデータ量より少なくなったとき、前記所定のチャプタの、その残容量分に記録することができる範囲に基づいて、前記所定のチャプタを記録する記録媒体を決定する
ことを特徴とする情報処理方法。
【請求項５】
第１のフォーマットで記録された、所定の撮像装置による撮像の結果得られた映像データを、第２のフォーマットで所定の記録媒体に記録する情報処理装置を制御するプロセッサに実行させるプログラムにおいて、
前記撮像装置による撮像の結果得られた映像データを取得して、そのフォーマットを前記第１のフォーマットから前記第２のフォーマットに変換する取得ステップと、
前記取得ステップの処理で取得された前記第２のフォーマットの前記映像データを、チャプタ毎に、複数個の記録媒体に順に記録する記録制御ステップと
を含み、
前記記録制御ステップは、所定の記録媒体の残容量が、次に記録する所定のチャプタのデータ量より少なくなったとき、前記所定のチャプタの、その残容量分に記録することができる範囲に基づいて、前記所定のチャプタを記録する記録媒体を決定する
ことを特徴とするプログラム。
【発明の詳細な説明】
【技術分野】
【０００１】
本発明は、情報処理装置および方法、並びにプログラムに関し、高精細に撮像されたハイビジョン映像を、そのまま複数の記録媒体に記録することができる情報処理装置および方法、並びにプログラムに関する。
【背景技術】
【０００２】
近年、パーソナルコンピュータ（以下、PCと称する）およびデジタルビデオテープレコーダ（以下、DVと称する）の高機能化が進み、ユーザは、ユーザ自身がDVを使って撮影したビデオデータを、PCを介してDVD（Digital Versatile Disc）に記録することができる。
【０００３】
【特許文献１】特開２００４−１０４２８４号公報
【発明の開示】
【発明が解決しようとする課題】
【０００４】
しかしながら、従来でのDVDへの記録は、SD（standard definition）の信号（例えば、480ｉ方式の信号）を前提とするものであって、DVによる撮影の結果得られる信号がHD（high definition）の信号であることを前提とはしておらず、そして、そのHDの信号を、そのまま複数のDVDに記録する方法は存在しなかった。
【０００５】
HDの信号を、例えばDVDの記録容量に応じて圧縮して１枚のDVDに記録することも考えられるが、この場合、HDの信号が一度圧縮して記録される結果、高精細の映像で再生することができなくなる。
【０００６】
本発明はこのような状況に鑑みてなされたものであり、DVによる撮像の結果得られたHDの信号を、そのまま複数のDVDに記録することができるようにするものである。
【課題を解決するための手段】
【０００７】
本発明の情報処理装置は、撮像装置による撮像の結果得られた映像データを取得して、そのフォーマットを第１のフォーマットから第２のフォーマットに変換する取得手段と、取得手段により取得された第２のフォーマットの映像データを、チャプタ毎に、複数個の記録媒体に順に記録する記録制御手段とを備え、記録制御手段は、所定の記録媒体の残容量が、次に記録する所定のチャプタのデータ量より少なくなったとき、所定のチャプタの、その残容量分に記録することができる範囲に基づいて、所定のチャプタを記録する記録媒体を決定することを特徴とする。
【０００８】
記録制御手段は、所定のチャプタの、開始からの所定範囲の部分しか記録することができないか、または終了までの所定範囲の部分を記録することができない場合、所定のチャプタを、所定のチャプタの前のチャプタが記録される記録媒体とは異なる記録媒体に記録することができる。
【０００９】
記録制御手段は、所定のチャプタの、開始からの所定範囲の部分しか記録することができないか、または終了までの所定範囲の部分を記録することができない場合、所定のチャプタを他の記録媒体に記録するものとして、取得手段により取得された第２のフォーマットの映像データを記録する記録媒体の数を算出する算出手段と、算出手段により算出された数分の記録媒体に、取得手段により取得された第２のフォーマットの映像データを記録する記録手段とを設けることができる。
【００１０】
本発明の情報処理方法は、撮像装置による撮像の結果得られた映像データを取得して、そのフォーマットを第１のフォーマットから第２のフォーマットに変換する取得ステップと、取得ステップの処理で取得された第２のフォーマットの映像データを、チャプタ毎に、複数個の記録媒体に順に記録する記録制御ステップとを含み、記録制御ステップは、所定の記録媒体の残容量が、次に記録する所定のチャプタのデータ量より少なくなったとき、所定のチャプタの、その残容量分に記録することができる範囲に基づいて、所定のチャプタを記録する記録媒体を決定することができる。
【００１１】
本発明のプログラムは、撮像装置による撮像の結果得られた映像データを取得して、そのフォーマットを第１のフォーマットから第２のフォーマットに変換する取得ステップと、取得ステップの処理で取得された第２のフォーマットの映像データを、チャプタ毎に、複数個の記録媒体に順に記録する記録制御ステップとを含み、記録制御ステップは、所定の記録媒体の残容量が、次に記録する所定のチャプタのデータ量より少なくなったとき、所定のチャプタの、その残容量分に記録することができる範囲に基づいて、所定のチャプタを記録する記録媒体を決定することを特徴とする。
【００１２】
本発明の情報処理装置および方法、並びにプログラムにおいては、撮像装置による撮像の結果得られた映像データが取得されて、そのフォーマットが第１のフォーマットから第２のフォーマットに変換され、取得された第２のフォーマットの映像データが、チャプタ毎に、複数個の記録媒体に順に記録され、その際、所定の記録媒体の残容量が、次に記録する所定のチャプタのデータ量より少なくなったとき、所定のチャプタの、その残容量分に記録することができる範囲に基づいて、所定のチャプタを記録する記録媒体が決定される。
【発明の効果】
【００１３】
本発明によれば、撮像の結果得られたHDの信号を、そのまま複数の記録媒体に記録することができる。
【発明を実施するための最良の形態】
【００１４】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１５】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００１６】
本発明の情報処理装置は、撮像装置による撮像の結果得られた映像データを取得して、そのフォーマットを第１のフォーマットから第２のフォーマットに変換する取得手段（例えば、図３の制御部１０１と取得部１０５）と、取得手段により取得された第２のフォーマットの映像データを、チャプタ毎に、複数個の記録媒体に順に記録する記録制御手段（例えば、図３の制御部１０１、算出部１０６、DVD書き込み部１０７）とを備え、記録制御手段は、所定の記録媒体の残容量が、次に記録する所定のチャプタのデータ量より少なくなったとき、所定のチャプタの、その残容量分に記録することができる範囲に基づいて、所定のチャプタを記録する記録媒体を決定することを特徴とする。
【００１７】
記録制御手段は、所定のチャプタの、開始からの所定範囲の部分しか記録することができないか（例えば、図１２）、または終了までの所定範囲の部分を記録することができない場合（例えば、図１３）、所定のチャプタを、所定のチャプタの前のチャプタが記録される記録媒体とは異なる記録媒体に記録することができる。
【００１８】
記録制御手段は、所定のチャプタの、開始からの所定範囲の部分しか記録することができないか、または終了までの所定範囲の部分を記録することができない場合、所定のチャプタを他の記録媒体に記録するものとして、取得手段により取得された第２のフォーマットの映像データを記録する記録媒体の数を算出する算出手段（例えば、図３の算出部１０６）と、算出手段により算出された数分の記録媒体に、取得手段により取得された第２のフォーマットの映像データを記録する記録手段（例えば、DVD書き込み部１０７）とを設けることができる。
【００１９】
本発明の情報処理方法およびプログラムは、撮像装置による撮像の結果得られた映像データを取得して、そのフォーマットを第１のフォーマットから第２のフォーマットに変換する取得ステップ（例えば、図８のステップＳ１７）と、取得ステップの処理で取得された第２のフォーマットの映像データを、チャプタ毎に、複数個の記録媒体に順に記録する記録制御ステップ（例えば、図８のステップＳ１８乃至ステップＳ２７）とを含み、記録制御ステップは、所定の記録媒体の残容量が、次に記録する所定のチャプタのデータ量より少なくなったとき、所定のチャプタの、その残容量分に記録することができる範囲に基づいて、所定のチャプタを記録する記録媒体を決定することができる。
【００２０】
図１は、本発明を適用したパーソナルコンピュータ１３の利用例を示している。
【００２１】
ハイビジョンデジタルビデオテープレコーダ（以下、HDVと称する）１１は、例えばHDV規格の1080i方式に従って撮像した結果得られた高精細なハイビジョン映像のビデオデータ（以下、HDVデータと称する）を、デジタルビデオテープ１２に記録することができる。
【００２２】
HDV１１はまた、デジタルビデオテープ１２に記録されたHDVデータを、ユーザの手動操作により再生して図示せぬ表示部に表示したり、パーソナルコンピュータ１３の制御に基づいて再生し、再生ビデオ信号を、接続線１５を介してパーソナルコンピュータ１３に送信することができる。
【００２３】
パーソナルコンピュータ（以下、PCと称する）１３は、HDV１１を制御して、再生させるとともに、HDV１１から接続線１５を介して送信されてきた再生ビデオ信号に対応するDVのフォーマットをDVD（Digital Versatile Disc）のフォーマット（例えば、MPEG-2（Moving Picture Experts Group-2）フォーマット）に変換し、PC１３に装着されたDVD１４に書き込むことができる（記録させることができる）。なお、ここでは、DVD-R、DVD-RW、DVD＋R、DVD+RW、および、DVD-RAMを全て一括して、DVD１４と称している。
【００２４】
例えばHDV１１で撮影が繰り返し行われ、デジタルビデオテープ１２に、１枚のDVD１４の記録容量（例えば、4.3GB）を超えるHDVデータが記録されている場合、PC１３は、HDV１１から供給されるそのHDVデータを、複数のDVD１４−１，１４−２，・・・に分けて記録する。その際、PC１３は、HDV１１でのユーザの撮影操作に応じて分割される撮影された映像の録画区間（チャプタ）が適切に再生されるように、DVD１４に記録する（後述）。
【００２５】
接続線１５は、有線でも無線でもよく、その実施の形態は特に限定されないが、この例においては、例えば、i.LINK（商標）の専用ケーブルとする。i.LINKは、本願出願人であるソニー株式会社の商標であり、IEEE（Institute of Electrical and Electronics Engineers）1394の高速デジタルシリアルインターフェースである。従って、PC１３とHDV１１間のデータの授受は、IEEE1394の規格に準拠して行われる。
【００２６】
図２は、PC１３の詳細な構成例を表している。
【００２７】
図２のPC１３において、CPU２１は、例えば、インテル（Intel）社製のペンティアム（登録商標）プロセッサ等で構成され、フロントサイドバス（ＦＳＢ）５４に接続されている。ＦＳＢ５４にはさらに、ノースブリッジ２３が接続されており、ノースブリッジ２３は、AGP（Accelerated Graphics Port）５５を有しているとともに、ハブインタフェース５３に接続されている。
【００２８】
ノースブリッジ２３は、例えば、インテル社製のAGP Host Bridge Controllerである４４０ＢＸなどで構成されており、CPU２１およびメモリ２２を制御する。メモリ２２は、RAM（Random Access Memory）、および、キャッシュメモリ（いずれも図示せず）として構成されている。
【００２９】
RAMは、例えば、DRAM（Dynamic RAM）で構成され、CPU２１が実行するプログラム、またはCPU２１の動作に必要なデータを記憶する。具体的には、例えば、RAMは、起動が完了した時点において、HDD３４からロードされたOS（Operating System）やインターネットプログラム、後述するプログラムなどを記憶する。OSは、例えば、マイクロソフト社のいわゆるウィンドウズ（登録商標）ＸＰ、またはアップルコンピュータ社のいわゆるMac OS（登録商標）等に代表される、コンピュータの基本的な動作を制御するプログラムである。
【００３０】
キャッシュメモリは、SRAM（Static RAM）などRAMと比較して、より高速な書き込みまたは読み出しの動作を実行できるメモリで構成され、CPU２１が使用するプログラムまたはデータをキャッシュする（一時的に記憶する）。
【００３１】
なお、CPU２１は、その内部に１次的な、キャッシュメモリに比較して、より高速に動作でき、CPU２１自身が制御するキャッシュを有する。
【００３２】
CPU２１が実行するプログラムは、リムーバル記録媒体４９に一時的わるいは永続的に格納（記録）しておくことができる。このようなリムーバル記録媒体４９は、いわゆるパッケージソフトウエアとして提供することができる。またプログラムは、ダウンロードサイトから、衛星放送用の人工衛星を介して、無線で転送したり、LANやインターネットといったネットワークを介して転送し、そのようにして転送されてくるプログラムを、受信し内蔵するメモリ２２にインストールすることができる。
【００３３】
ノースブリッジ２３はまた、ＡＧＰ５５を介して、ビデオコントローラ２４を制御する。ビデオコントローラ２４は、ＬＣＤ（Liquid Crystal Display）２５またはＶＧＡ（Video Graphics Array）方式のディスプレイ（以下、ＶＧＡ２６と記述する）をコントロールする。
【００３４】
ビデオコントローラ２４は、CPU２１から供給されるデータ（イメージデータまたはテキストデータなど）を受信して、受信したデータに対応するイメージデータを生成するか、または、受信したデータをそのまま内蔵するビデオメモリ（図示せず）に記憶する。ビデオコントローラ２４は、ＬＣＤ２５またはＶＧＡ２６に、ビデオメモリに記憶されているイメージデータに対応する画像を表示させる。ＬＣＤ２５またはＶＧＡ２６は、ビデオコントローラ２４から供給されたデータを基に、画像または文字などを表示する。
【００３５】
ノースブリッジ２３はさらに、ハブインタフェース５３を介して、サウスブリッジ２７とも接続されている。サウスブリッジ２７は、例えば、インテル社製のＰＩＩＸ４Ｅなどで構成されており、ＡＣリンクバス５６、ＵＳＢバス５７、または、ＩＤＥバス５８に接続されるデバイスの制御等、各種のI/Ｏ（Input / Output）を制御する。
【００３６】
具体的には、ＡＣリンクバス５６には、モデム２８、および、音声入出力部２９が接続されている。モデム２８は、公衆回線網に接続されており、公衆回線網またはインターネット（いずれも図示せず）を介する通信処理を実行する。音声入出力部２９は、マイクロフォン（図示せず）から音声を取り込み、その音声に対応するデータを生成して、メモリ２２に出力する。また音声入出力部２９は、スピーカ（図示せず）を駆動して、スピーカに音声を出力させる。
【００３７】
サウスブリッジ２７のＵＳＢバス５７には、ＵＳＢコネクタ３０が接続され、各種ＵＳＢデバイスが接続可能になされている。またＵＳＢバス５７を介して、メモリースティックスロット３１とブルーテゥース通信部３３が接続されている。メモリースティックスロット３１には、メモリースティック（商標）３２が装着される。
【００３８】
メモリースティック３２は、本願出願人であるソニー株式会社によって開発されたフラッシュメモリカードの一種である。このメモリースティック３２は、縦21.5×横50×厚さ2.8[mm]の小型薄型形状のプラスチックケース内に電気的に書換えや消去が可能な不揮発性メモリであるEEPROM（Electrically Erasable and Programmable Read Only Memory ）の一種であるフラッシュメモリ素子を格納したものであり、１０ピン端子を介して画像や音声、音楽等の各種データの書き込み及び読み出しが可能となっている。ブルーテゥース通信部３３は、ブルーテゥース規格による通信を行う。
【００３９】
サウスブリッジ２７のＩＤＥバス５８には、HDD３４が接続されている。また、ＩＤＥバス５８には、いわゆるＩＤＥデバイスと称される、CD-ROM（Compact Disc-Read Only Memory）ドライブ３５や、DVD-R/RWドライブ３６が電気的に接続される。DVD-R/RWドライブ３６には、上述したDVD１４が装着される。
【００４０】
サウスブリッジ２７にはまた、ＢＩＯＳ（Basic Input Output System）３９、PCI（Peripheral Component Interconnect）バス５１、および、LPC（Low Pin Count）バス５２が接続されている。
【００４１】
ＢＩＯＳ３９は、PC１３の基本動作命令を集めたプログラム群であり、例えば、ＲＯＭ（Read Only Memory）（図示せず）などに記憶されている。また、ＢＩＯＳ３９は、OSまたはアプリケーションプログラムと周辺機器との間でのデータの受け渡し（入出力）を制御する。
【００４２】
ＬＰＣバス５２には、Ｉ／Ｏ（Input/Output）インタフェース３７、およびコントローラ３８が接続されている。
【００４３】
Ｉ／Ｏインタフェース３７には、パラレル端子４０とシリアル端子４１が接続されており、それぞれの端子に接続された機器とのデータの授受を行う。
【００４４】
コントローラ３８には、ジョグダイヤル４２、キーボード４３、および、マウス４４等の入力機器（入力手段）が接続されており、コントローラ３８は、これらの入力機器の制御を行うとともに、電源装置（図示せず）より供給される電力の制御も行う。
【００４５】
ＰＣＩバス５１には、i.LINK４５と、ＰＣカードインタフェース４６が接続されている。I.LINK４５は、上述したように、CPU２１から供給された信号（例えば、後述するHDV１１の再生を指令する制御信号等）を専用のケーブル１５を介してHDV１１に供給するとともに、HDV１１からケーブル１５を介して供給される信号（例えば、後述する再生ビデオ信号）をCPU２１、メモリ２２、またはHDD３４に供給する。ＰＣカードインタフェース４６は、スロット４７に接続された機器（カード（図示せず））から供給されたデータを、CPU２１またはメモリ２２に供給するとともに、CPU２１から供給されたデータをスロット４７に接続されているカードに出力する。
【００４６】
スロット４７には必要に応じて、図２に示されるように、ドライブ４８が接続される。この場合、ドライブ４８は、スロット４７およびＰＣカードインタフェース４６を介して、ＰＣＩバス５１に接続される。ドライブ４８は、装着されている磁気ディスク、光ディスク、光磁気ディスク、または半導体メモリ等からなるリムーバブル記録媒体４９に記録されているデータを読み出し、読み出したデータをメモリ２２に供給する。また、CPU２１の処理により生成されたデータを、ドライブ４８に装着されるリムーバブル記録媒体４９に記憶させる。
【００４７】
図３は、PC１３のCPU２１が実行するDVD書き込みプログラム９１のソフトウエアモジュールの構成例を示している。
【００４８】
このDVD書き込みプログラム９１は、後述するように、デジタルビデオテープ１２に記録されているHDVデータのデータ量が、DVD１４の１枚の記憶容量（例えば、4.3GB）を超える場合、そのHDVデータを複数のDVD１４−１，１４−２，・・・に分けて記録することができる。
【００４９】
制御部１０１が、各部を制御し、HDV１１により再生されて供給された、デジタルビデオテープ１２に記録されているHDVデータを複数のDVD１４に書き込む処理を実行させる。
【００５０】
検出部１０２は、HDV１１との接続状態を常時監視し、HDV１１がPC１３に接続され、かつ、HDV１１の電源が投入されたことを検出する。
【００５１】
HDV制御部１０３は、調査部１０４や取得部１０５からの制御部１０１を介する指令（要求）に基づいて、HDV１１に装着されたデジタルビデオテープ１２の再生（k倍速再生を含む）や巻き戻し等を制御する。
【００５２】
調査部１０４は、HDV１１に装着されたデジタルビデオテープ１２のHDVデータの記録内容を、後述するように調査し、デジタルビデオテープ１２に記録されているHDVデータを、チャプタ毎に分割する。
【００５３】
取得部１０５は、HDV１１を介してデジタルビデオテープ１２のHDVデータを取得するとともに、そのフォーマットを、DVのフォーマットからDVDのフォーマットに変換して、HDD３４に一時記憶させる。
【００５４】
算出部１０６は、HDV１１に装着されたデジタルビデオテープ１２に記録されているHDVデータを記録するために必要なDVD１４の枚数を算出する。
【００５５】
DVD書き込み部１０７は、HDD３４に記憶されたデジタルビデオテープ１２に記録されているHDVデータを、算出部１０６で算出された数分のDVD１４に書き込む（記録する）処理を行う。
【００５６】
DVDフォーマット部１０８は、DVD-R/RWドライブ３６に装着されたDVD１４を書き込み可能な状態にする。
【００５７】
表示制御部１０９は、DVD書き込み処理の状態に応じた各種GUI（Graphical User Interface）をLCD２５等に表示する。
【００５８】
記憶部１１０は、例えば、メモリ２２（図２）内に構成され、調査部１０４により調査されたデジタルビデオテープ１２のHDVデータの内容等が記憶される。
【００５９】
次に、図４のフローチャートを参照して、DVD書き込みプログラム９１の処理を説明する。
【００６０】
ステップＳ１において、PC１３に対するユーザの所定の操作により、DVD書き込みプログラム９１が起動されると、ステップＳ２において、制御部１０１は、表示制御部１０９を制御して、図５に示すような、DVD書き込みのための操作画面（初期画面）を、LCD２５等に表示させる。
【００６１】
この画面には、「ビデオ機器をi.LINKケーブルでパソコンに接続し、電源を入れてください。」のメッセージＭＧ１および「DVDディスクをドライブに挿入してください。」のメッセージＭＧ２（共に、図中、点線の枠で囲まれている）、DVDへの書き込みを開始する際に操作される開始ボタンＳＢ、並びに記録モードをHDモードにまたはビデオモードに設定する際に操作されるタブＴＢ１およびＴＢ２等が設けられている。
【００６２】
なお記録モードをHDモードに設定すると、後述するようにHDの信号をそのまま複数のDVD１４に記録することができ、ビデオモードに設定すると、HDの信号を、SDの信号（480i）にダウンコンバートして記録することができる。
【００６３】
ステップＳ３において、検出部１０２は、PC１３のi.LINK４５にHDV１１が接続され、電源が投入されていることを検出する。なおこの例の場合、ユーザは、ステップＳ２で表示された操作画面のメッセージＭＧ１に従って、HDV１１をi.LINKケーブル１５でPC１３に接続し、電源を投入するものとする。
【００６４】
なお、HDV１１とPC１３がケーブル１５を介して接続され、かつ、HDV１１の電源が投入されたとすると、HDV１１は、予め設定されたHDV１１を表す所定の識別番号を、ケーブル１５を介して、PC１３に送信してくるので、検出部１０２は、この識別番号を、i.LINK４５を介して受信し、HDV１１が、PC１３に接続され、かつ、その電源が投入されたと判定する。
【００６５】
次にステップＳ４において、制御部１０１は、表示制御部１０９を制御して、図６に示すような、ハイビジョン映像をそのままDVD１４に保存する場合に必要な操作内容を示すダイアログＤＬ１（HDモードで記録する際のダイアログ）、およびDVDプレーヤで再生できるDVDを作成する場合に必要な操作内容を示すダイアログＤＬ２（ビデオモードで記録する際のダイアログ）を含む説明ダイアログＤＬを、LCD１５等に表示させる。
【００６６】
ステップＳ５において、制御部１０１は、記録モードを、HDモードに設定する。この例の場合、ステップＳ４で表示された説明ダイアログＤＬを参照した後、ユーザは、説明ダイアログＤＬを閉じ、タブＴＢ２（図５）を選択して、記録モードを、HDモードに設定するものとする。
【００６７】
ステップＳ６において、制御部１０１は、表示制御部１０９を制御して、図７に示すようなHDモード用の操作画面を表示させる。この画面には、図５に示した初期画面のメッセージＭＧ１に代えて、「ビデオ機器にテープを入れてください。」のメッセージＭＧ３が表示される。
【００６８】
次にステップＳ６で表示されたHDモード用の操作画面の開始ボタンＳＢが操作されると、ステップＳ７において、HDモードによるDVDへの書き込み処理（デジタルビデオテープ１２に記録されたハイビジョン映像をそのまま複数のDVD１４に書き込む処理）が開始される。ここでの処理の詳細は、図８のフローチャートに示されている。
【００６９】
ステップＳ１１において、DVDフォーマット部１０８は、DVD-R/RWドライブ３６にDVD１４が装着されていることを検出するまで待機し、DVD１４が装着されていることを検出すると、ステップＳ１２に進み、装着されているDVD１４が書き込み済みであるか否かを判定し、DVD１４が書き込み済みであると判定した場合、ステップＳ１３に進む。
【００７０】
ステップＳ１３において、DVDフォーマット部１０８は、DVD１４の記録内容が消去可能であるか否かを判定し、消去不能である（消去できない）と判定した場合、ステップＳ１４に進み、その旨を、制御部１０１に通知する。制御部１０１は、表示制御部１０９を制御して、LCD２５等に、DVD１４の交換を促すメッセージを表示させる。その後処理は、ステップＳ１２に戻り、それ以降の処理が同様に行われる。
【００７１】
ステップＳ１２で、DVDが書き込み済みではないと判定された場合、またはステップＳ１３で、DVD１４の記録内容が消去可能であると判定された場合（ユーザにより記録内容の消去が可能なDVD１４がDVD−R/RWドライブ３６に装着されたとき）、ステップＳ１５に進み、制御部１０１は、HDV制御部１０３を制御して、HDV１１に装着されたデジタルビデオテープ１２を巻き戻させる。
【００７２】
HDV制御部１０３は、この要求を受けて、「巻き戻し」を指令する制御信号を生成し、i.LINKケーブル１５を介してHDV１１に送信する。
【００７３】
PC１３から送信されてきた「巻き戻し」を指令する制御信号を、ケーブル１５を介して受信すると、HDV１１は、デジタルビデオテープ１２の巻き戻す。
【００７４】
次にステップＳ１６において、制御部１０１は、調査部１０４を制御して、デジタルビデオテープ１２に記録されているHDVデータの記録内容を調査させ、そこに記録されているHDVデータを所定の録画区間（チャプタ）毎に分割する。
【００７５】
DVD１４には、一般的に、その全録画データが、あらかじめ複数の録画区間に区分されて記録されるようになされており、所定の操作が施されると、任意の録画区間の先頭から再生される。このようなDVD１４の録画区間は、一般的に、チャプタと称されている。本実施形態においては、後述するように、PC１３に取り込まれたデジタルビデオテープ１２のHDVデータが、DVD１４に書き込まれる（記録される）場合、デジタルビデオテープ１２のHDVデータのうちの、所定の録画開始点から次に現れる録画終了点までの１つの録画区間が、１つのDVD１４のチャプタとして取り扱われる。従って、そのような、録画開始点から録画終了点までの録画区間を、DVD１４に記録される前においても、チャプタと称することとしている。
【００７６】
以下にここでの処理を具体的に説明する。
【００７７】
調査部１０４は、はじめに、制御部１０１を介してHDV制御部１０３に対して、デジタルビデオテープ１２の早送り再生を要求する。HDV制御部１０３は、この要求を受けて、「k（kは、１より大きい任意の正数値）倍速の再生」を指令する制御信号を生成し、i.LINKケーブル１５を介してHDV１１に送信する。
【００７８】
ケーブル１５を介してHDV１１から送信されてきた「ｋ倍速の再生」を指令する制御信号を受信すると、HDV１１は、巻き戻されたデジタルビデオテープ１２をk倍速で早送りして再生し、その結果デジタルビデオテープ１２から再生された再生ビデオ信号を、ケーブル１５を介してPC１３に順次送信する処理を開始する。
【００７９】
なおk倍速の早送り再生の場合、デジタルビデオテープ１２に記録された全てのフレームが再生されるのではなく、所定の枚数のフレームが間引かれて再生される。即ち、デジタルビデオテープ１２に記録された全てのフレームのうちの、所定間隔の位置にあるフレームがスキャンされて、スキャンされたフレームに対応するデータのみが、再生ビデオ信号として、HDV１１よりPC１３に送信される。
【００８０】
このようにデジタルビデオテープ１２の早送り再生が開始されると調査部１０４は、HDV１１から送信されてきた再生ビデオ信号（スキャンされたフレームのデータ）を、i.LINKケーブル１５を介して取得して、取得したフレームのデータの中からの、そのフレームの時間情報の取得を開始する。
【００８１】
フレームのデータの中には、そのフレームに対応するビデオデータ（画像および音声データ）以外に、例えば、そのフレームのフレーム番号の情報、そのフレームの撮影時刻（年、月、日、時、分、および秒）の情報、そのフレームが録画開始点である場合、それを表す情報（以下、録画開始点情報と称する）、そしてそのフレームが録画終了点である場合、それを表す情報（以下、録画終了点情報と称する）等からなる時間情報が含まれている。
【００８２】
記録開始点は、ユーザがHDV１１の録画ボタン（図示せず）を押下して、撮影を開始した時点のデジタルビデオテープ１２の位置（点）であり、録画終了点は、録画ボタンを解除した時点のデジタルビデオテープ１２の位置（点）である。
【００８３】
なお録画開始点情報を含むフレームの１つ前のフレームを、ここでは、便宜上、録画終了点情報を含むフレームと称することにする。即ち、録画終了点情報を含むフレームには、録画終了点情報に対応する具体的な情報が含まれないこともある。
【００８４】
そして調査部１０４は、録画開始点情報、およびそれに続く録画終了点情報を取得したとき、録画開始点情報を含むフレームから、録画終了点情報を含むフレームまでを１つの録画区間（チャプタ）と認識し、その録画区間の時間情報を生成する。即ち、そのチャプタの開始時刻（年、月、日、時、分、および、秒）、終了時刻（年、月、日、時、分、および、秒）、並びに、そのチャプタの長さ（時間）を含む時間情報が生成される。このようにしてHDVデータがチャプタ毎に分割される。
【００８５】
調査部１０４は、デジタルビデオテープ１２のテープエンドまで早送り再生されたことを検出すると、それまでに認識した各チャプタのそれぞれの時間情報をリスト化したチャプタリスト（図示せず）を生成する。
【００８６】
なおステップＳ１６でデジタルビデオテープ１２の記録内容の調査がなされている間は、制御部１０１は、表示制御部１０９を制御して、図９に示すようなGUIを表示させる。これによりユーザに、デジタルビデオテープ１２の記録内容の調査中であることを認識させることができる。
【００８７】
次にステップＳ１７において、制御部１０１は、取得部１０５を制御して、デジタルビデオテープ１２のHDVデータを、HDV１１よりi.LINKケーブル１５を介して取得させ、HDD３４に一時記憶させる。取得部１０５はそのとき、HDD３４に記憶されたビデオデータのフォーマットを、DVのフォーマットからDVDのフォーマット（例えば、MPEG-2フォーマット）に変換し、HDD３４に記憶するとともに、変換前のDVのフォーマットのビデオデータをHDD３４から削除する。
【００８８】
なおステップＳ１７でHDVデータの取得されている間は、制御部１０１は、表示制御部１０９を制御して、図１０に示すようなGUIを表示させる。これによりユーザに、デジタルビデオテープ１２に記録されているHDVデータの取り込み中であることを認識させることができる。
【００８９】
次に、ステップＳ１８において、制御部１０１は、算出部１０６を制御して、デジタルビデオテープのHDVデータを記録するのに必要はDVD１４の枚数を算出させる。この処理の詳細は、図１１のフローチャートを示されている。
【００９０】
ステップＳ５１において、算出部１０６は、HDVデータを書き込むDVD１４を１個想定する。具体的には、算出部１０６は、想定したDVD１４の数をカウントするカウンタｉの値を１に初期設定するとともに、１枚のDVD１４にHDVデータを記録することができる時間（記録可能時間）を記憶する。なお想定されたDVD１４を、以下において、想定DVDと称するとともに、想定されるDVD１４の数とカウンタｉの値は対応するので、ｉ（ｉ＝１，２，・・・）の添え字を付して表すものとする（想定DVDｉ）。
【００９１】
次にステップＳ５２において、算出部１０６は、ステップＳ１６で作成されたチャプタリストから、１つのチャプタを再生順に選択する。以下において、ここで選択されたチャプタを、適宜、対象チャプタと称する。
【００９２】
ステップＳ５３において、算出部１０６は、想定DVDｉに、対象チャプタ全部を書き込むことができるか否かを判定し、書き込むことができると判定した場合、ステップＳ５４に進む。すなわち、記憶されている、想定DVDｉの記録可能時間が、対象チャプタの録画時間以上である場合、対象チャプタ全部を想定DVDｉに書き込むことができると判定され、ステップＳ５４に進む。
【００９３】
ステップＳ５４において、算出部１０６は、対象チャプタを、書き込み候補のリストに加える。このとき、算出部１０６は、記憶している想定DVDｉの記録可能時間から、対象チャプタの録画時間を除算し、その結果得られた時間を、想定DVDｉの記録可能時間とする（想定DVDｉの記録可能時間を更新する）。
【００９４】
次にステップＳ５５において、算出部１０６は、ステップＳ５２ですべてのチャプタが選択されたか否かを判定し、まだ選択されていないチャプタが残っていると判定した場合、ステップＳ５２に戻り、次のチャプタを対象チャプタとして選択し、ステップＳ５３以降の処理を実行する。
【００９５】
ステップＳ５３で、対象チャプタの全部を書き込むことができないと判定された場合（ステップＳ５２乃至ステップＳ５５の処理が繰り返されて、想定DVDｉの記録可能時間が短くなり、記録可能時間が、対象チャプタの録画時間より短くなった場合）、ステップＳ５６に進む。
【００９６】
ステップＳ５６において、算出部１０６は、対象チャプタを、記憶している想定DVDｉの記録可能時間だけ書き込んだ場合、対象チャプタが感知区間ＷＬで途切れるか否かを判定する。感知区間ＷＬとは、図１２に示すように、対象チャプタの開始時刻から所定時間の範囲ＷＬ１、および図１３に示すように、対象チャプタの終了時刻までの所定時間の範囲ＷＬ２である。
【００９７】
図１２の例は、対象チャプタを、想定DVDｉの記録可能時間Ｔｌだけ書き込んだ場合、対象チャプタが感知区間ＷＬ１で途切れ、図１３の例では、感知区間ＷＬ２で途切れることになる。また図１４は、対象チャプタをすべて想定DVDｉに書き込むことはできないが、感知区間ＷＬでは途切れない例を示している。
【００９８】
図１１に戻りステップＳ５６で、対象チャプタが感知区間ＷＬで途切れると判定された場合（図１２または図１３）、ステップＳ５７に進み、算出部１０６は、書き込みを行うDVD１４を新たに想定する（カウンタｉの値を１だけインクリメントし、記録可能時間を１枚のDVD１４の記録可能時間とする（記録可能時間をリセットする））。
【００９９】
その後、ステップＳ５４で、算出部１０６は、対象チャプタを、書き込み候補のリストに加え、記憶している想定DVDｉの記録可能時間から、対象チャプタの記録時間を除算し、その結果得られた時間を、想定DVDｉの記録可能時間とする。
【０１００】
ステップＳ５６およびステップＳ５７を経由して、ステップＳ５４で対象チャプタが書き込み候補リストに追加されることは、その対象チャプタは、その対象チャプタの１つ前のチャプタまでとは異なるDVD１４に記録されることを意味している。すなわち図１２または図１３に示したように、続けてDVD１４に書き込んだ場合、対象チャプタが始まってすぐに（図１２）、または終了する直前で途切れてしまうようなとき（図１３）、その対象チャプタは、他のDVD１４に全体が書き込まれるようになる。
【０１０１】
ステップＳ５６で、対象チャプタが感知区間ＷＬで途切れないと判定された場合（図１４）、ステップＳ５８に進み、算出部１０６は、対象チャプタの、開始時刻から、想定DVDｉの記録可能時間Ｔl分の部分（以下、対象チャプタ前部分と称する）Ｗｆ（図１４）を、書き込み候補リストに加える。
【０１０２】
次にステップＳ５９において、算出部１０６は、新たに書き込みを行うDVD１４を想定する（カウンタｉの値を１だけインクリメントし、記録可能時間を１枚のDVD１４の記録可能時間とする（記録可能時間をリセットする））。
【０１０３】
そしてステップＳ６０において、算出部１０６は、対象チャプタの、対象チャプタ前部Ｗｆ分以降の部分（以下、対象チャプタ後部分と称する）Ｗｅ（図１４）を、書き込み候補リストに加える。このとき、算出部１０６は、記憶している想定DVDｉの記録可能時間から、対象チャプタ後部分Ｗｅの記録時間を除算し、その結果得られた時間を、想定DVDｉの記録可能時間とする（記録可能時間を更新する）。
【０１０４】
すなわち対象チャプタ後部分Ｗｅは、ステップＳ５９で、新たなDVD１４が想定された後に、書き込み候補リストに追加されるので、対象チャプタ前部分Ｗｆまでとは異なるDVD１４に記録されることになる。
【０１０５】
その後処理は、ステップＳ５５に進み、すべてのチャプタが選択されたか否かが判定され、選択されていないチャプタが存在する場合、ステップＳ５２に戻り、それ以降の処理が行われる。
【０１０６】
ステップＳ５５で、すべてのチャプタが選択されたと判定された場合、ステップＳ６１に進み、算出部１０６は、デジタルビデオテープ１２に記録されているHDVデータを記録するのに必要なDVD１４の枚数を算出し（カウンタｉの値を取得し）、制御部１０１に通知する。
【０１０７】
その後、処理は、図８のステップＳ１９に進む。
【０１０８】
ステップＳ１９において、制御部１０１は、DVDフォーマット部１０８を制御して、いま装着されているDVD１４の記録内容を、必要に応じて消去させ、これから開始するHDVデータのDVD１４への書き込みに備える。
【０１０９】
なおDVD１４の記録内容を消去する必要がある場合、制御部１０１は、表示制御部１０９を制御して、図１５に示すような、記録内容を消去することユーザに確認するメッセージを表示させる。
【０１１０】
ステップＳ２０において、制御部１０１は、DVD書き込み部１０７を制御して、必要なDVD１４の数に応じたディスクイメージを生成させる。
【０１１１】
具体的には、DVD書き込み部１０７は、記憶部１１０に、算出部１０６で算出された枚数分のDVD１４の記憶領域を確保するとともに、HDD３４から読み出したデジタルビデオテープ１２に記録されているHDVデータを、ステップＳ１８で生成した書き込み候補リストに従って、チャプタ毎に各DVD１４としての記憶領域に分割し、ディスクイメージを作成する。
【０１１２】
なおステップＳ１８でDVD１４の必要枚数が算出され、ステップＳ１９でDVD１４の記録内容が消去され、そしてステップＳ２０でディスクイメージが作成されている間は、制御部１０１は、表示制御部１０９を制御して、図１６に示すようなGUIを表示させる。これによりユーザに、DVD１４への書き込みの準備中であることを認識させることができる。
【０１１３】
次にステップＳ２１において、DVD書き込み部１０７は、ステップＳ２０で作成したディスクイメージの中の１枚目のDVD１４のディスクイメージを、いま装着されているDVD１４に書き込む。このとき制御部１０１は、表示制御部１０９を制御し、図１７に示すような、HDVデータを記録するのに必要なDVD１４の数に対応するモニタバーＢ（図１７の例では、２本のモニタバーＢ１およびＢ２）を含むGUIを表示させるとともに、いま書き込みが行われているDVD１４が何枚目であって、その記録状況を表すように、モニタバーＢに影を付すようにしている。
【０１１４】
ステップＳ２２において、DVD書き込み部１０７は、ディスクイメージの書き込みが完了したか否か、すなわちデジタルビデオテープ１２に記録されていたHDVデータのDVD１４への記録が完了したか否かを判定し、完了していないと判定した場合、その旨を、制御部１０１に通知する。
【０１１５】
ステップＳ２３において、制御部１０１は、表示制御部１０９を制御して、図１８に示すようなDVD１４の入れ替えを促すメッセージを表示させる。
【０１１６】
ステップＳ２４乃至ステップＳ２７において、ステップＳ１１乃至ステップＳ１４における場合と同様の処理が行われ、書き込み可能な他のDVD１４が装着されるまで待機し、そのようなDVD１４が装着されたとき、ステップＳ１９に戻り、上述したように、いま装着されたDVD１４に対するHDVデータの書き込みが開始される。
【０１１７】
例えば２枚目のDVD１４への書き込みが開始された場合、図１９に示すようなGUIが表示される。
【０１１８】
ステップＳ２２で、デジタルビデオテープ１２に記録されていたHDVデータのすべてが記録されたと判定された場合、DVD書き込み処理は終了し、DVD書き込みプログラム９１は、処理を終了させる（図４）。
【０１１９】
以上のように、HDV１１による撮像の結果得られたHDVデータ（デジタルビデオテープ１２に記録されているHDVデータ）を、そのまま複数のDVD１４に記録するようにしたので、撮像した高精細なハイビジョン映像を、例えばPC１３で、高精細な状態で視ることができる。
【０１２０】
またDVD１４の記録容量の関係で、チャプタの全部を書き込むことができない場合、そのまま書き込めば再生時において、そのチャプタがはじめってすぐに、または終了する直前に途切れてしまうとき、他のDVD１４にそのチャプタ全部を書き込みようにしたので、ユーザが見やすいようにHDVデータをDVD１４に記録することができる。
【０１２１】
なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１２２】
【図１】本発明を適用したパーソナルコンピュータ１３の利用例を示す図である。
【図２】図１のパーソナルコンピュータ１３の構成例を示すブロック図である。
【図３】図２のCPU２１が実行するDVD書き込みプログラムの機能的構成例を示すブロック図である。
【図４】DVD書き込みプログラムの処理を説明するフローチャートである。
【図５】GUIの例を示す図である。
【図６】他のGUIの例を示す図である。
【図７】他のGUIの例を示す図である。
【図８】図４のステップＳ７の処理を説明するフローチャートである。
【図９】他のGUIの例を示す図である。
【図１０】他のGUIの例を示す図である。
【図１１】図８のステップＳ１８の処理を説明するフローチャートである。
【図１２】図１１のステップＳ５６の処理を説明する図である。
【図１３】図１１のステップＳ５６の処理を説明する他の図である。
【図１４】図１１のステップＳ５６の処理を説明する他の図である。
【図１５】他のGUIの例を示す図である。
【図１６】他のGUIの例を示す図である。
【図１７】他のGUIの例を示す図である。
【図１８】他のGUIの例を示す図である。
【図１９】他のGUIの例を示す図である。
【符号の説明】
【０１２３】
１１  HDV，  １２  デジタルビデオテープ，  １３  PC，  １４  DVD，  １０１  制御部，  １０２  検出部，  １０３  HDV制御部，  １０４  調査部，  １０５  取得部，  １６  算出部，  １０７  DVD書き込み部，  １０８  DVDフォーマット部，  １０９  表示制御部
【図１】
2006172677.tif 000003
【図２】
2006172677.tif 000004
【図３】
2006172677.tif 000005
【図４】
2006172677.tif 000006
【図５】
2006172677.tif 000007
【図６】
2006172677.tif 000008
【図７】
2006172677.tif 000009
【図８】
2006172677.tif 000010
【図９】
2006172677.tif 000011
【図１０】
2006172677.tif 000012
【図１１】
2006172677.tif 000013
【図１２】
2006172677.tif 000014
【図１３】
2006172677.tif 000015
【図１４】
2006172677.tif 000016
【図１５】
2006172677.tif 000017
【図１６】
2006172677.tif 000018
【図１７】
2006172677.tif 000019
【図１８】
2006172677.tif 000020
【図１９】
2006172677.tif 000021